(57)【特許請求の範囲】
【請求項１】
携帯型電話装置を含む無線通信機器の使用を制限する区域の自営用移動局と無線通信を行う専用基地局に使用される他局電波遮断装置であって、
前記区域の周囲に存在する基地局及び無線通信機器を含む他局が送信した電波を受信する受信部と、
前記受信部で受信した電波をローカル信号とミキシングすることにより周波数変換し、この周波数信号から特定の周波数を抽出する復調部と、
前記復調部で抽出した信号をＡ／Ｄ変換し、中間周波信号の復調及びチャネル情報を含めたＩＤデータを生成するベースバンド部と、
他局電波を遮断するための妨害波を生成する妨害波生成部と、
前記区域内において前記妨害波生成部からの妨害波を送信周波数に変調して送信する送信部と、
前記ベースバンド部で生成したデータを基に前記専用基地局が前記自営用移動局で使用する電波の周波数と前記他局の周波数とを比較して、前記専用基地局と前記他局の電波の判別を行い、前記他局が使用している周波数を認識した時に前記他局電波を遮断するための妨害波に周波数を設定し、この設定した周波数帯の妨害波が前記送信部から送信されるように制御する制御部と、
を備えることを特徴とする他局電波遮断装置。
【請求項２】
前記受信部は、周波数シンセサイザとミキサを備え、前記ミキサで前記他局電波周波数と前記周波数シンセサイザからの各チャネルのローカル信号とをミキシングして各チャネル毎の差分を順次出力し、前記復調部は前記ミキサから順に出力される信号の中からＩＦ周波数を抽出するとともに受信信号レベルを検出することを特徴とする請求項１記載の他局電波遮断装置。
【請求項３】
前記受信部は、ダイバーシチ受信が可能な２系統の受信部から構成されていることを特徴とする請求項２記載の他局電波遮断装置。
【請求項４】
前記送信部は、周波数シンセサイザとミキサを備え、前記制御部から１スロット毎のタイミングで制御信号を受け取る毎に周波数シンセサイザで生成されるローカル信号と前記妨害波生成部からの妨害波とを前記ミキサでミキシングして送出することを特徴とする請求項１記載の他局電波遮断装置。
【発明の詳細な説明】
【０００１】
【発明の属する技術分野】
本発明は、ＰＨＳ（パ−ソナル・ハンディホン・システム）や携帯型電話装置など（以下、これらを総称して「携帯電話」という）の無線通信システムに適用される他局電波遮断装置に関し、さらに詳しくは、自局周辺における他局（公衆、構内を問わず）電波の周波数を検波し、かつ、この電波を遮断するために必要な周波数の妨害波を生成して送信することにより専用局内において他局網による通信を不可にし、自局による通信のみを可能にする他局電波遮断装置に関する。
【０００２】
【従来の技術】
従来、無線通信システムによる事業が展開されている区域において、映画館やコンサート会場等では、携帯電話などの無線通信機器の使用が制限されいる。また、業務連絡等を目的とした専用局を保持する施設において、施設側が専用局の使用を制限する必要がある場合は、自営用チャネルを含めたシステム全体（全チャネル）に対して妨害波を送信し、無線通信を一切不可にするような装置を設置するようにしている。
【０００３】
【発明が解決しようとする課題】
しかし、上述のような従来の方式では、遮断の必要がない帯域に対しても妨害波によって遮断されてしまうほか、自局の専用網においても妨害波により通信がてきなくなるという問題があった。
【０００４】
本発明は上述のような問題を解決するものであり、本発明の目的は、自局内において、周囲の他局電波のみを妨害波で遮断することで他局による通信を不能にし、かつ自局の専用網による通信が常時可能にした他局電波遮断装置を提供することにある。
【０００５】
【課題を解決するための手段】
上記課題を解決するために本発明の請求項１に記載の発明は、携帯型電話装置を含む無線通信機器の使用を制限する区域の自営用移動局と無線通信を行う専用基地局に使用される他局電波遮断装置であって、前記区域の周囲に存在する基地局及び無線通信機器を含む他局が送信した電波を受信する受信部と、前記受信部で受信した電波をローカル信号とミキシングすることにより周波数変換し、この周波数信号から特定の周波数を抽出する復調部と、前記復調部で抽出した信号をＡ／Ｄ変換し、中間周波信号の復調及びチャネル情報を含めたＩＤデータを生成するベースバンド部と、他局電波を遮断するための妨害波を生成する妨害波生成部と、前記区域内において前記妨害波生成部からの妨害波を送信周波数に変調して送信する送信部と、前記ベースバンド部で生成したデータを基に前記専用基地局が前記自営用移動局で使用する電波の周波数と前記他局の周波数とを比較して、前記専用基地局と前記他局の電波の判別を行い、前記他局が使用している周波数を認識した時に前記他局電波を遮断するための妨害波に周波数を設定し、この設定した周波数帯の妨害波が前記送信部から送信されるように制御する制御部とを備えることを特徴とする。
【０００７】
請求項２に記載の発明は、前記受信部が、周波数シンセサイザとミキサを備え、前記ミキサで前記他局電波周波数と前記周波数シンセサイザからの各チャネルのローカル信号とをミキシングして各チャネル毎の差分を順次出力し、前記復調部は前記ミキサから順に出力される信号の中からＩＦ周波数を抽出するとともに受信信号レベルを検出することを特徴とする。
【０００８】
請求項３に記載の発明は、前記受信部が、ダイバーシチ受信が可能な２系統の受信部から構成されていることを特徴とする。
【０００９】
請求項４に記載の発明は、前記送信部が、周波数シンセサイザとミキサを備え、前記制御部から１スロット毎のタイミングで制御信号を受け取る毎に周波数シンセサイザで生成されるローカル信号と前記妨害波生成部からの妨害波とを前記ミキサでミキシングして送出することを特徴とする。
【００１０】
本発明においては、携帯電話などの無線通信機器の使用が制限される区域に設置された他局電波遮断装置の受信部により他局からの電波の周波数を定期的に受信し、この電波の周波数を制御部で認識するとともに他局電波を遮断するための妨害波の周波数を設定し、この設定した周波数帯の妨害波を送信部から送信することことにより、区域内でその周波数帯に対してのみ電波の遮断を可能にし、他局の専用網による通信を一切不能にする。
【００１１】
そして、妨害波は他局電波を遮断するために必要は周波数帯に対してのみ送信することにより、遮断していない周波数帯を自局の周波数帯として使用することを可能にして、自局の専用網による通信を常時可能にする。
【００１２】
【発明の実施の形態】
以下、本発明の実施の形態について、図１ないし図３を参照して説明する。
【００１３】
図１は本発明の他局電波遮断装置を備える無線通信システムの全体の構成を示す基本構成図、図２は本発明の他局電波遮断装置の内部構成を概略的に示すブロック図、図３は本発明の他局電波遮断装置における受信部及び送信部の内部構成を示すブロック図である。
【００１４】
図１において、施設ＡはＰＢＸ１と、このＰＢＸ１に接続された基地局２からなる専用局を有し、この専用局の基地局２は自営用移動局３と無線通信可能に構成されている。さらに、この施設Ａは、自営用移動局３以外の無線通信機器、すなわち移動局４の使用を制限する他局電波遮断装置５を備えている。
また、施設Ａの周囲には、ＰＢＸ６と、このＰＢＸ６に接続された基地局７からなる専用局を有する施設Ｂと、公衆用基地局８が設置されており、これら施設Ｂの専用局及び公衆用基地局８の通信範囲は施設Ａに及ぶものである。
【００１５】
施設Ａの他局電波遮断装置５は、施設Ｂの基地局７及び公衆用基地局８が使用している周波数（チャネル）を受信信号から検出し、この検出した周波数と同一の周波数で、施設Ａ内のみ遮断可能な電力の妨害波を生成して送信する。この妨害波により、それまで施設Ｂの基地局７または公衆用基地局８に位置登録していた移動局４の位置登録を不可能にする。これにより、施設Ａは他局である施設Ｂの基地局７または公衆用基地局８にとって意図的にサービスエリア外となる。また、自局である施設Ａの基地局２が送信する電波については、基地局２とのインタフェースを持つことにより、自局の使用している周波数（チャネル）を随時認識して自局内の通信を可能にする。
【００１６】
図２において、他局電波遮断装置５は、ＲＦ部５１、ベースバンド部５２及び制御部５３を備える。
【００１７】
ＲＦ部５１は、ダイバーシチ受信を行うとともにミキサでの処理遅延を補うことを目的とする２系統の第１受信部５１１及び第２受信部５１２と、妨害波を送信する送信部５１３を備え、この第１受信部５１１及び第２受信部５１２は、他局である施設Ｂの基地局７または公衆用基地局８からそれぞれの受信用アンテナ５１１Ａ、５１２Ａに到来する電波を受信して、ローカル信号とミキシングすることにより周波数変換し、この周波数信号から特定のＩＦ周波数を抽出するとともに、その受信信号の強さをＲＳＳＩ信号として検出して制御部５３に送出する構成になっている。送信部５１３は送信用アンテナ５１３Ａを備えている。
【００１８】
ベースバンド部５２は、第１受信部５１１及び第２受信部５１２から出力される受信信号レベルをＡ／Ｄ変換するとともに、中間周波信号の復調及びチャネル情報を含めたＩＤデータを制御部５３へ送出する構成になっている。
【００１９】
制御部５３は、ベースバンド部５２からのＲＳＳＩデータと２系統のベースバンド部５２から１スロット毎のタイミングで交互に送出されるデータを基にして送信部５１３を制御し、送信部５１３から他局の電波を遮断するために必要な周波数の妨害波を生成して送信する構成になっており、さらに、自局が使用している周波数を認識し、ベースバンド部５２から受け取ったデータと比較することで他局と自局との電波の判別を行う機能を有している。
【００２０】
図３は、他局電波遮断装置５における第１受信部５１１及び第２受信部５１２と送信部５１３の内部構成を更に詳細に表したものである。
【００２１】
この図３において、第１受信部５１１は、アンテナ５１１Ａに到来する電波を受信して増幅する低雑音の増幅器５１１１と、１〜７７チャネルのローカル信号を送出する周波数シンセサイザ５１１２と、この周波数シンセサイザ５１１２からの１〜７７チャネルのローカル信号と増幅器５１１１から出力される信号の周波数との差分を出力するミキサ５１１３と、このミキサ５１１３から出力される信号中から特定のＩＦ周波数の信号を抽出し、受信信号レベル（ＲＳＳＩ）を検出してベースバンド部５２に出力する復調器５１１４を備えている。
【００２２】
第２受信部５１２は、アンテナ５１２Ａに到来する電波を受信して増幅する低雑音の増幅器５１２１と、１〜７７チャネルのローカル信号を送出する周波数シンセサイザ５１２２と、この周波数シンセサイザ５１２２からの１〜７７チャネルのローカル信号と増幅器５１２１から出力される信号の周波数との差分を出力するミキサ５１２３と、このミキサ５１２３から出力される信号中から特定のＩＦ周波数の信号を抽出し、受信信号レベル（ＲＳＳＩ）を検出してベースバンド部５２に出力する復調器５１２４を備えている。
【００２３】
送信部５１３は、特定周波数の妨害波を生成して送出する妨害波生成部５１３１と、制御部５３から１スロット毎のタイミングで送出される信号に基づきローカル信号を発振する第１及び第２周波数シンセサイザ５１３２及び５１３３と、第１周波数シンセサイザ５１３２から出力されるローカル信号と妨害波生成部５１３１からの妨害波とをミキシングして妨害波用の送信周波数として送出する第１ミキサ５１３４と、第２周波数シンセサイザ５１３３から出力されるローカル信号と妨害波生成部５１３１からの妨害波とをミキシングして妨害波用の送信周波数として送出する第２ミキサ５１３５と、この第１ミキサ５１３４及び第２ミキサ５１３５の一方の妨害波用送信周波数を１スロット毎のタイミングで交互に選択して出力するスイッチ５１３６と、スイッチ５１３６で選択された妨害波用送信周波数信号を電力増幅してアンテナ５１３Ａに送出する電力増幅器５１３７とを備えている。
【００２４】
次に、上記のように構成された本実施の形態における動作について説明する。
【００２５】
施設Ｂ及び公衆用基地局８から施設Ａに到来する電波は他局電波遮断装置５の第１及び第２受信部５１１及び５１２で定期的にダイバーシチ受信される。ここで、第１及び第２受信部５１１、５１２はそれぞれ同一の動作を行うので、第１受信部５１１を代表して説明する。
【００２６】
第１受信部５１１において、受信された他局からの電波は低雑音の増幅器５１１１で増幅され、ミキサ５１１３に入力される。ミキサ５１１３では、入力された信号の周波数を特定できないため、入力された信号の周波数と周波数シンセサイザ５１１２から出力される１〜７７チャネルのローカル信号とをミキシングして、その各チャネルとの差分を全てについて出力する。復調器５１１４では、ミキサ５１１３から順に出力される信号の中から、固定の第１ＩＦ周波数帯（２４３．９５ＭＨｚ）の信号のみを抽出し、第２ＩＦ周波数帯（１０．８ＭＨｚ）へダウンコンバージョンを行うとともに、受信信号レベル（ＲＳＳＩ）を検出してベースバンド部５２に出力する。
【００２７】
ベースバンド部５２では、第１受信部５１１から受け取ったＲＳＳＩ信号をＡ／Ｄ変換するとともに、ＩＦ信号を復調し、チャネル情報を含めたＩＤデータを制御部５３に送出する。制御部５３では、ベースバンド部５２からのＲＳＳＩ信号を受け取ることにより、他局からの電波を受信したことを認識する。また、２系統のベースバンド部５２から１スロット毎のタイミングで交互にデータを受け取る。そして、送信部５１３の第１、第２周波数シンセサイザ５１３２、５１３３に対して同じタイミングで、検出した周波数と同周波数のローカル信号を発振させるための制御信号を出力する。さらに、自局との外部インタフェースにより、自局が使用している周波数を認識し、ベースバンド部５２から受け取ったデータを比較することで他局、自局の電波の判定を行う。
【００２８】
一方、妨害波生成部５１３１は、常時特定周波数の妨害波を第１、第２ミキサ５１３４、５１３５に対して送出している。ここで、第１、第２周波数シンセサイザ５１３２、５１３３は制御部５３から１スロット毎のタイミングで交互に制御信号を受け取ると、ローカル信号を生成して、対応するそれぞれのミキサ５１３４、５１３５に入力する。各ミキサ５１３４、５１３５は、入力されたローカル信号と妨害波生成部５１３１からの妨害波とをミキシングして出力する。スイッチ５１３６では、ミキサ５１３４、５１３５の一方の妨害波用送信周波数を１スロット毎のタイミングで交互に選択して電力増幅器５１３７に出力する。電力増幅器５１３７では、選択された妨害波用送信周波数信号を電力増幅してアンテナ５１３Ａから送信する。
【００２９】
上記のような本実施の形態によれば、ＰＨＳや携帯電話などの無線通信機器の使用が制限される施設Ａの周辺に存在する施設Ｂ及び公衆用基地局８から到来する電波を施設Ａ内の他局電波遮断装置５の第１及び第２受信部５１１、５１２により定期的に受信し、この電波の周波数を認識するとともに、他局電波を遮断するための妨害波の周波数を設定し、この設定した周波数帯の妨害波を送信部５１３から送信することにより、その周波数帯に対してのみ電波を遮断する構成にしたので、他局、すなわち施設Ｂ又は公衆用基地局８に位置登録している移動局４が施設Ａにいても、この移動局４の位置登録を不能にして意図的にサービスエリア外とし、施設Ａにおいての他局による移動局４の通信を一切不能にすることができる。
【００３０】
また、妨害波は他局電波を遮断するために必要は周波数帯に対してのみ送信するものであるから、遮断していない周波数帯を自局、すなわち施設Ａの周波数帯として使用することができ、自局の専用網による通信が常時可能になる。
【００３１】
【発明の効果】
以上のように本発明によれば、携帯電話などの無線通信機器の使用が制限される区域に他局電波遮断装置を設置し、この他局電波遮断装置により他局からの電波の周波数を定期的に受信し、この電波の周波数を認識するとともに他局電波を遮断するための妨害波の周波数を設定し、この設定した周波数帯の妨害波を送信することにより、その周波数帯に対してのみ電波を遮断する構成にしたので、他局の専用網による通信を一切不能にすることができる。
【００３２】
また、妨害波は他局電波を遮断するために必要な周波数帯に対してのみ送信するものであるから、遮断していない周波数帯を自局の周波数帯として使用することができ、自局の専用網による通信が常時可能になるという効果を有する。
【図面の簡単な説明】
【図１】本発明の他局電波遮断装置を備える無線通信システムの全体の構成を示す基本構成図である。
【図２】本発明の他局電波遮断装置の内部構成を概略的に示すブロック図である。
【図３】本発明の他局電波遮断装置における受信部及び送信部の内部構成を示すブロック図である。
【符号の説明】
Ａ  施設
Ｂ  施設
１  ＰＢＸ
２  基地局
３  自営用移動局
４  移動局
５  他局電波遮断装置
６  ＰＢＸ
７  基地局
５１  ＲＦ部
５２  ベースバンド部
５３  制御部
５１１  第１受信部
５１２  第２受信部
５１３  送信部
５１１１  低雑音増幅器
５１１２  周波数シンセサイザ
５１１３  ミキサ
５１１４  復調器
５１２１  低雑音増幅器
５１２２  周波数シンセサイザ
５１２３  ミキサ
５１２４  復調器
５１３１  妨害波生成部
５１３２  第１周波数シンセサイザ
５１３３  第２周波数シンセサイザ
５１３４  第１ミキサ
５１３５  第２ミキサ
５１３６  スイッチ
５１３７  電力増幅器
【図１】
0003804897.tif 000002
【図２】
0003804897.tif 000003
【図３】
0003804897.tif 000004